(57)【要約】【課題】強度低下を少なくし、グリースの保持性能、基油の潤滑性を向上させる。【解決手段】径方向及び一方の軸方向に開口部１１，１２，１３を有し、複数の玉６をそれぞれ保持する複数のポケット１４と、複数のポケット間を結合する柱部１５と、ポケットの周囲の周面に沿って形成されたポケット径方向面１６，１７と、ポケットの軸方向開口部と反対側に延出する環状部２０と、環状部の径方向面２１，２２と柱部の径方向面１８，１９とを接続する壁面部２３，２４と、環状部の径方向面とポケット径方向面とを接続する傾斜面２７，２８を設ける。傾斜面と壁面とは互に隣接し、傾斜面の軸方向幅Ｗがポケット径方向面の軸方向幅Ｓの５０％以上とする。傾斜面及び壁面を環状部の径方向内外面の両方に設ける。傾斜面と環状部の径方向面とを径方向に設けられた微少壁面２５，２６で接続する。微少壁面及び傾斜面を壁面に隣接させる。【選択図】        図１
2014009748.tif 000002
【特許請求の範囲】
【請求項１】
径方向及び一方の軸方向に開口部を有し、内外輪軌道面を転動する複数の玉をそれぞれ保持する複数のポケットと、前記複数のポケット間を結合する柱部と、前記ポケットの周囲の周面に沿って形成されたポケット径方向面と、前記ポケットの軸方向開口部と反対側に延出する環状部と、前記環状部の径方向面と前記柱部の径方向面とを接続する壁面部と、前記環状部の径方向面と前記ポケット径方向面とを接続する傾斜面と、を有し、前記傾斜面と前記壁面とは互に隣接し、前記傾斜面の軸方向幅が前記ポケット径方向面の軸方向幅の５０％以上にされている玉軸受用冠型保持器。
【請求項２】
前記傾斜面及び前記壁面は、前記環状部の径方向内外面の両方に形成されている請求項１記載の玉軸受用冠型保持器。
【請求項３】
前記傾斜面と前記環状部の径方向面とは径方向に設けられた微少壁面で接続されており、前記微少壁面及び傾斜面が前記壁面と互いに隣接している請求項１又は２記載の玉軸受用冠型保持器。
【発明の詳細な説明】
【技術分野】
【０００１】
本発明は、グリース潤滑の転がり玉軸受に適した冠型保持器に関する。
【背景技術】
【０００２】
従来、例えばカーエアコンのプーリー軸受、中間プーリー用軸受等の自動車補助機器用の軸受に使用されるころがり軸受（玉軸受あるいはボール軸受）では軽量化や、高速高温下における長寿命が要求される。かかるころがり軸受にあっては、メンテナンスの観点からグリース潤滑が行われる。かかるグリース潤滑においては、低トルク化、グリースの保持、グリースの漏れの低減、軽量化、遠心力の影響を抑えること等が要求される。
【０００３】
そこで、特許文献１の転がり玉軸受では、径方向及び一方の軸方向に開口部を有し、内外輪軌道面を転動する複数の玉をそれぞれ保持する複数のポケットを有する、いわゆる冠型保持器について記載されている。この冠型保持器は、複数のポケット間を結合する柱部の内外周面の両周面部に、軸方向のポケットの軸方向開口部と反対側（一端面側）に向かって傾斜する傾斜面を設けて、軸方向側に開口する凹部を形成し、その凹部にグリースを保持できるグリース溜まりを形成している。
【０００４】
しかし、柱部の反ポケット開口側に凹部を形成するのみでは、ポケットから凹部へのグリースの供給が困難である。そこで、特許文献２においては、ポケットと凹部との間に切り欠き部を設け、凹部へのグリースの供給あるいは保持を促進している。また、凹部容量を大きくしている。
【先行技術文献】
【特許文献】
【０００５】
【特許文献１】特開２００３−２６９４６５号公報
【特許文献２】特開２０１１−２２６６３５号公報
【発明の概要】
【発明が解決しようとする課題】
【０００６】
しかし、特許文献２のように、切り欠きを設けると強度が低下するという問題があった。また、冠型保持器のポケット開口部先端の変形量が増大するという問題もある。また、基油のポケットの供給については切り欠き部以外では従来と同様であり、必ずしも潤滑性を満足できるものではなかった。本発明の課題は、かかる問題点に鑑みて、強度の低下を少なくし、かつグリースの保持性能、さらには基油の潤滑性を向上することである。
【課題を解決するための手段】
【０００７】
本発明においては、径方向及び一方の軸方向に開口部を有し、内外輪軌道面を転動する複数の玉をそれぞれ保持する複数のポケットと、前記複数のポケット間を結合する柱部と、前記ポケットの周囲の周面に沿って形成されたポケット径方向面と、前記ポケットの軸方向開口部と反対側に延出する環状部と、前記環状部の径方向面と前記柱部の径方向面とを接続する壁面部と、前記環状部の径方向面と前記ポケット径方向面とを接続する傾斜面と、を有し、前記傾斜面と前記壁面とは互に隣接し、前記傾斜面の軸方向幅が前記ポケット径方向面の軸方向幅の５０％以上にされている玉軸受用冠型保持器を提供することにより前述した課題を解決した。
【０００８】
即ち、冠型保持器において、ポケットの軸方向開口部と反対側に延出する環状部の径方向面と柱部の径方向面とを接続する壁面部とで、従来と同様の凹部を形成し油溜まりとする。さらに、環状部の径方向面とポケット径方向面とを接続する傾斜面を設ける。傾斜面とすることにより、強度低下及び抵抗が少ない。なお、従来例では面取りが為されているが、加工上の面取りであり、その大きさも小さい。これに対して、本発明においては、傾斜面の幅をポケット径方向面の幅の５０％以上とし、傾斜面を大きくして強度低下及び抵抗を減じた。
【０００９】
凹部及び傾斜面は、使用条件により、外周方向面又は内周方向面の一方に形成できるが、より好ましくは前記傾斜面及び前記壁面は、前記環状部の径方向内外面の両方に形成するのが好ましい（請求項２）。
【００１０】
また、請求項３に記載の発明においては、前記傾斜面と前記環状部の径方向面とは径方向に設けられた微少壁面で接続されており、前記微少壁面及び傾斜面が前記壁面と互いに隣接させた玉軸受用冠型保持器とした。微少壁面を設ける事により、射出成形等の樹脂成形時に金型の寸法を正確に設定でき、また、磨耗や成型圧力等の条件変化の影響がすくない。
【発明の効果】
【００１１】
本発明においては、環状部の径方向面と壁面部とで、従来と同様の凹部を形成し油溜まりとし、グリースの保持を確実に行える。さらに、環状部の径方向面と従来より大きな傾斜面とで、強度低下及び抵抗を少なくしたので、ポケット背面の流路を確保し、径方向のグリース等の潤滑油の流れをスムースにするものとなった。これにより、強度の低下を少なくし、軽量化し、かつグリースの保持性能、さらには基油の潤滑性を向上するものとなった。また、遠心力による変形も少ないものとなった。
【００１２】
請求項２に記載の発明においては、傾斜面及び壁面を環状部の径方向内外面の両方に形成したので、玉軸受の使用条件に左右されにくい潤滑性を確保するものとなった。
【００１３】
また、請求項３に記載の発明においては、微少壁面を設ける事により、射出成形等の樹脂成形時にバラツキのない安定した保持器を提供できるので、設計が容易で、品質の高いものとなった。
【図面の簡単な説明】
【００１４】
【図１】本発明の実施の形態を示す玉軸受用冠型保持器を内外輪、ボール等と組み合わせて玉軸受として組み立てた状態を示す部分拡大断面図である。
【図２】本発明の実施の形態を示す玉軸受用冠型保持器の（ａ）は正面図、（ｂ）は（ａ）のＡ−Ａ線断面図、（ｃ）は背面図である。
【図３】本発明の実施の形態を示す玉軸受用冠型保持器の（ａ）はポケット側から見た斜視図、（ｂ）は環状部側から見た斜視図である。
【発明を実施するための形態】
【００１５】
本発明の実施の形態について図面を参照して説明する。図１に示すように、玉（ボール）軸受１は、外周に軌道面２を有する内輪３と、内周に軌道面４を有する外輪５と、内外輪の軌道面間を転動する複数の鋼球（ボール）６を有している。ボール６の間隔を保ち内外輪３，５を玉６を介してスムースに回転させるための冠型保持器７が内外輪間に設けられている。外輪の内径側端部にオイルシール装着溝８が設けられており、オイルシール９の外周９ａが嵌着されている。オイルシール９の内周にはリップ９ｂが設けられており、リップ先端が内輪外径側端のシール溝１０に接触してグリース等の漏れを防ぐ。この構造は一般的なシール付き玉軸受である。
【００１６】
本発明の実施の形態の冠型保持器７は、径方向の開口部１１，１２及び反オイルシール９側に軸方向開口部１３を有し、ポケット１４を有する。ポケット１４はそれぞれの玉６がスムースにすべり回転保持できるような内球面の一部を形成する。図１〜３に示すように、かかる複数のポケット１４のポケット間は柱部１５で結合されている。また、ポケットの径方向開口部１１，１２の周囲には径方向面１６，１７が形成されている。径方向面１６，１７に連接して、ポケット間を結ぶ柱部にも径方向の内外周面に沿って柱部の径方向面１８，１９が形成されている。
【００１７】
ポケット１４の軸方向開口部１３と反対側に環状部２０が延出している。環状部２０は冠型保持器７の径方向幅中央に位置している。環状部２０の径方向内外周面の環状部の径方向面２１，２２と柱部の径方向面１８，１９とはそれぞれ壁面部２３，２４によって接続されている。また、環状部の径方向面２１，２２の径方向に微少壁面２５，２６が設けられている。さらに、微少壁面は壁面部２３，２４に接続されている。微少壁面２５，２６の径方向高さｈは０．５ｍｍから２ｍｍ程度である。
【００１８】
微少壁面２５，２６と前述したポケット径方向面１６，１７との間は傾斜面２７，２８で接続されている。傾斜面２７，２８の両端はそれぞれ隣接する壁面部２３，２４に接続されている。傾斜面の軸方向幅Ｗはポケット径方向面の軸方向幅Ｓと同寸法である。
【００１９】
かかる冠型保持器７によれば、壁面部２３，２４、環状部の径方向面２１，２２、微少壁面２５，２６、傾斜面２７，２８の壁面部側とで、凹部２９，３０を形成し、グリース溜まりとする。さらに、傾斜面２７，２８を大きく取るようにしたので、図１の矢印３１に示すように、玉軸受１の回転に伴う遠心力により、グリースあるいは基油は傾斜面２７，２８を経て容易に移動する。また、径方向内側凹部２９、外側凹部３０にも効率的にグリースが溜まる、また、凹部より基油がポケット１４に供給される。
【００２０】
このように、グリース溜まりの凹部２９，３０を確保しながら、環状部２０と傾斜面２７，２８とにより、強度を確保しながらグリース油の流れを容易にした。これにより、軽量化を図り、潤滑性を向上させ、冠型保持器の変形等を防止して低トルク等の玉軸受冠型保持器となった。また、微少壁面を形成することにより寸法額保、製造も容易である。
【符号の説明】
【００２１】
１    玉（ボール）軸受
２    内輪軌道面
３    外輪軌道面
６    玉（ボール）
７    玉軸受用冠型保持器
１１、１２  径方向開口部
１３  軸方向開口部
１４  ポケット
１５  柱部
１６、１７  ポケット径方向面
１８、１９  柱部の径方向面
２０  環状部
２１、２２  環状部の径方向面
２３、２４  壁面部
２５、２６  微少壁面
２７、２８  傾斜面
Ｓ    ポケット径方向面の軸方向幅
Ｗ    傾斜面の軸方向幅
【図１】
2014009748.tif 000003
【図２】
2014009748.tif 000004
【図３】
2014009748.tif 000005